(57)【要約】【課題】外部記憶媒体に記録された電子データを処理可能な情報処理システムにおいて、外部記憶媒体に記録された電子データの中から所望する電子データを容易に取得する。【解決手段】情報処理システムは、特定情報読取部と情報処理部とを備える。特定情報読取部は、外部記憶媒体に備えられた無線ＩＣタグから無線ＩＣタグに記録された電子データに関連する特定情報を読み取る第１読取手段と、第１読取手段により読み取られた特定情報を表示する表示手段と、表示手段により表示された特定情報の中からユーザが所望する電子データに関連する所定の特定情報の選択を受け付ける受付手段とを備える。また、情報処理部は、外部記憶媒体から電子データを読み取る第２読取手段と、所定の特定情報に基づき第２読取手段を用いて電子データの中から所望する電子データを取得する情報取得手段とを備える。【選択図】図２
2009211475.tif 000002
【特許請求の範囲】
【請求項１】
外部記憶媒体に記録された電子データを処理可能な情報処理システムであって、
前記外部記憶媒体に備えられた無線ＩＣタグから該無線ＩＣタグに記録された前記電子データに関連する特定情報を読み取る第１読取手段と、
前記第１読取手段により読み取られた特定情報を表示する表示手段と、
前記表示手段により表示された特定情報の中からユーザが所望する電子データに関連する所定の特定情報の選択を受け付ける受付手段とを、備えた特定情報読取部と、
前記外部記憶媒体から前記電子データを読み取る第２読取手段と、
前記所定の特定情報に基づき前記第２読取手段を用いて前記電子データの中から前記所望する電子データを取得する情報取得手段とを、備えた情報処理部と
を、備えることを特徴とする情報処理システム。
【請求項２】
前記特定情報読取部と前記情報処理部とは各々異なる装置であり、
前記特定情報読取部は、前記所定の特定情報を送信する送信手段を更に備え、
前記情報処理部は、前記送信手段から送られてきた所定の特定情報を受信する受信手段を更に備えることを特徴とする請求項１に記載の情報処理システム。
【請求項３】
前記情報処理部は、前記所望する電子データに基づく画像を印刷する印刷手段を更に備えることを特徴とする請求項１または請求項２に記載の情報処理システム。
【請求項４】
前記第２読取手段により読み取った前記外部記憶媒体の電子データに基づく画像を直接的に印刷することができる印刷装置であることを特徴とする請求項３に記載の情報処理システム。
【請求項５】
前記情報処理部は、前記所望する電子データに基づく画像を表示する画像表示手段を更に備えることを特徴とする請求項１または請求項２に記載の情報処理システム。
【請求項６】
前記第２読取手段により読み取った前記外部記憶媒体の電子データに基づく画像を直接的に表示することができる画像表示装置であることを特徴とする請求項５に記載の情報処理システム。
【請求項７】
前記受付手段による前記所定の特定情報の選択受付が完了した後には、前記第１読取手段による前記特定情報の読取り対象であった前記外部記憶媒体を前記第２読取手段による前記電子データの読取りが可能な状態とする旨の指示を表示することを特徴とする請求項１乃至請求項６の何れかに記載の情報処理システム。
【請求項８】
前記無線ＩＣタグの特定情報は、前記外部記憶媒体に記録された各電子データを特定する情報及び該各電子データを読み出すパス情報であり、該外部記憶媒体へ電子データを記録する際に予め作成されることを特徴とする請求項１乃至請求項７の何れかに記載の情報処理システム。
【請求項９】
外部記憶媒体に記録された電子データを処理可能な情報処理システムの制御方法であって、
前記外部記憶媒体に備えられた無線ＩＣタグから該無線ＩＣタグに記録された前記電子データに関連する特定情報を読み取る第１読取工程と、
前記第１読取工程により読み取られた特定情報を表示する表示工程と、
前記表示工程により表示された特定情報の中からユーザが所望する電子データに関連する所定の特定情報の選択を受け付ける受付工程と、
前記外部記憶媒体から前記電子データを読み取る第２読取工程と、
前記所定の特定情報に基づき前記第２読取工程を用いて前記電子データの中から前記所望する電子データを取得する情報取得工程と
を、備えることを特徴とする情報処理システムの制御方法。
【請求項１０】
外部記憶媒体に記録された電子データを処理可能な情報処理システムの制御プログラムであって、
前記外部記憶媒体に備えられた無線ＩＣタグから該無線ＩＣタグに記録された前記電子データに関連する特定情報を読み取る第１読取機能と、
前記第１読取機能により読み取られた特定情報を表示する表示機能と、
前記表示機能により表示された特定情報の中からユーザが所望する電子データに関連する所定の特定情報の選択を受け付ける受付機能と、
前記外部記憶媒体から前記電子データを読み取る第２読取機能と、
前記所定の特定情報に基づき前記第２読取機能を用いて前記電子データの中から前記所望する電子データを取得する情報取得機能と
を、コンピュータに実現させることを特徴とする情報処理システムの制御プログラム。 
【発明の詳細な説明】
【技術分野】
【０００１】
本発明は、情報処理システム、情報処理システムの制御方法、情報処理システムの制御プログラムに関し、特に、外部記憶媒体に記録された情報を取得する技術に関する。
【背景技術】
【０００２】
一般に、ＣＤ／ＤＶＤメディアやメモリカード等の外部記憶媒体には大量の電子データを保存することができ、専用の読み取りドライブを用いて外部記憶媒体から電子データを読み出している。例えば、読み取りドライブを搭載した表示装置にて外部記憶媒体に保存された画像データを読み出して画像を観賞したり、特許文献１や特許文献２に示されるように読み取りドライブを搭載したプリンタにて外部記憶媒体に保存された画像データを読み出して画像を印刷している。
この際、外部記憶媒体にどんな電子データが保存されているか外観からはわからないので、実際に読み取りドライブを用いて外部記憶媒体の中身を確認する操作が必要となる。或いは、外部記憶媒体に電子データの内容を記した付箋等を貼付したり、レーベル面への印刷が可能なＣＤ／ＤＶＤメディアであれば特許文献３や特許文献４に示されるように電子データの内容をレーベル印刷したりして、外部記憶媒体の中身を確認することも考えられる。
【特許文献１】特開２００２−２５４７５８号公報
【特許文献２】特開２００２−２６４４４６号公報
【特許文献３】特開２００３−１８７３号公報
【特許文献４】特開２００４−３５８７１４号公報
【発明の開示】
【発明が解決しようとする課題】
【０００３】
しかしながら、読み取りドライブを用いて外部記憶媒体の中身を確認する場合には、電子データを読み取り可能な状態にする必要があるし、電子データ量が多かったり外部記憶媒体が複数あったりすると所望する電子データを探し出す時間がより多くかかる可能性があった。また、付箋を貼付したりレーベル印刷する場合でも、外部記憶媒体に記録可能な電子データ量と比較すると表記できる情報は非常に少なく、必要な情報を限られたスペースに表記するのは容易なことではないと考えられる。
【０００４】
本発明は上記課題に鑑みて為されたもので、その目的とするところは、外部記憶媒体に記録された電子データの中から所望する電子データを容易に取得することができる情報処理システム、情報処理システムの制御方法、情報処理システムの制御プログラムを提供することにある。
【課題を解決するための手段】
【０００５】
上記目的を達成するため、本発明にかかる外部記憶媒体に記録された電子データを処理可能な情報処理システムは、特定情報読取部と情報処理部とを備える。前記特定情報読取部は、前記外部記憶媒体に備えられた無線ＩＣタグから該無線ＩＣタグに記録された前記電子データに関連する特定情報を読み取る第１読取手段と、前記第１読取手段により読み取られた特定情報を表示する表示手段と、前記表示手段により表示された特定情報の中からユーザが所望する電子データに関連する所定の特定情報の選択を受け付ける受付手段とを備える。また、前記情報処理部は、前記外部記憶媒体から前記電子データを読み取る第２読取手段と、前記所定の特定情報に基づき前記第２読取手段を用いて前記電子データの中から前記所望する電子データを取得する情報取得手段とを備える。
従って、ユーザは、第２読取手段を用いて外部記憶媒体から電子データを読み取ることに比較して速やかに外部記憶媒体の中身を確認し、所望する電子データを選択することができる。そして、ユーザは、外部記憶媒体に記録された電子データの中から所望する電子データを容易に取得することができる。
【０００６】
好適には、前記特定情報読取部と前記情報処理部とは各々異なる装置であっても良い。この場合、前記特定情報読取部は、前記所定の特定情報を送信する送信手段を更に備える。また、前記情報処理部は、前記送信手段から送られてきた所定の特定情報を受信する受信手段を更に備える。これにより、例えば特定情報読取部のみを小型な携帯端末で構成することができ、外部記憶媒体の中身を確認する際の自由度が拡がる。
【０００７】
また、好適には、前記情報処理部は、前記所望する電子データに基づく画像を印刷する印刷手段を更に備えても良い。これにより、ユーザは、外部記憶媒体に記録された電子データの中から所望する画像を容易に印刷することができる。
【０００８】
また、好適には、前記第２読取手段により読み取った前記外部記憶媒体の電子データに基づく画像を直接的に印刷することができる印刷装置であっても良い。これにより、ユーザは、所望する画像を簡単に印刷することができる。
【０００９】
また、好適には、前記情報処理部は、前記所望する電子データに基づく画像を表示する画像表示手段を更に備えても良い。これにより、ユーザは、外部記憶媒体に記録された電子データの中から所望する画像を容易に表示することができる。
【００１０】
また、好適には、前記第２読取手段により読み取った前記外部記憶媒体の電子データに基づく画像を直接的に表示することができる画像表示装置であっても良い。これにより、ユーザは、所望する画像を簡単に表示することができる。
【００１１】
また、好適には、情報処理システムは、前記受付手段による前記所定の特定情報の選択受付が完了した後には、前記第１読取手段による前記特定情報の読取り対象であった前記外部記憶媒体を前記第２読取手段による前記電子データの読取りが可能な状態とする旨の指示を表示しても良い。これにより、所望する電子データを取得するための外部記憶媒体がユーザにより電子データの読取りが可能な状態とされ易い。
【００１２】
また、好適には、前記無線ＩＣタグの特定情報は、前記外部記憶媒体に記録された各電子データを特定する情報及び該各電子データを読み出すパス情報であっても良い。そして、この無線ＩＣタグの特定情報は、外部記憶媒体へ電子データを記録する際に予め作成されても良い。これにより、外部記憶媒体を第２読取手段による電子データの読取りが可能な状態とすることで、所望する電子データが簡単に取得される。
【００１３】
さらに、本発明にかかる技術的思想は、上述した情報処理システム以外の発明としても捉えることができる。一例として、上述した情報処理システムにおける各手段に対応する工程を有するその情報処理システムの制御方法としても発明を把握することができる。
また、上述した情報処理システムにおける各手段に対応する機能をコンピュータに実現させるその情報処理システムの制御プログラムとしても発明を把握することができる。
【発明を実施するための最良の形態】
【００１４】
以下、下記の順序に従って、図面を参照しながら本発明の実施形態を説明する。
（１）情報処理システムの概略構成
（２）所望する画像の検索・印刷時における情報処理システムの動作
（３）変形例
（４）まとめ
【００１５】
（１）情報処理システムの概略構成
図１は本発明の一実施形態に係る情報処理システム１００の外観図、図２はその情報処理システム１００のブロック構成図を示している。図１、２において、情報処理システム１００は、特定情報読取部としての例えばリーダ端末１０と情報処理部としての例えば印刷装置２０とからなり、外部記憶媒体としてのＣＤ／ＤＶＤメディア３０に記録された電子データを処理可能なシステムである。
【００１６】
ＣＤ／ＤＶＤメディア３０は、電子データ（ファイル）の記録が可能なデータ記録面３１と、データ記録面３１の裏面であるレーベル面３２と、レーベル面３２側に貼り付けられた無線ＩＣタグ３３とを備えている。このＣＤ／ＤＶＤメディア３０は、電子データを保存する際などに用いられるよく知られたＣＤ−Ｒ、ＣＤ−ＲＷ、ＤＶＤ−Ｒ、ＤＶＤ−ＲＷなどであり、特に、無線ＩＣタグ３３が備えられたものである。また、レーベル面３２に印刷装置２０による印刷が可能なものもある。
【００１７】
無線ＩＣタグ３３は、微小なＩＣチップとチップ用アンテナとを備え、例えば電波や電磁波を使い（電磁誘導により電力を得て）ＩＣチップ内に電気的に電子データを書き込んだり、ＩＣチップに記録されている電子データを読み出すことができる。例えば、無線ＩＣタグ３３は、ＲＦＩＤ（Radio Frequency-IDentification）タグ等の非接触型のＩＣタグであり、本実施例ではよく知られたＮＦＣ（Near Field Communication）タグ（以下、無線ＩＣタグ３３をＮＦＣタグ３３と表す）が用いられている。特に本実施例においては、ＮＦＣタグ３３には、図３に示すように、ＣＤ／ＤＶＤメディア３０のデータ記録面３１に記録された電子データに関連する特定情報が記録されている。
【００１８】
具体的には、データ記録面３１に記録された電子データは、１つ乃至複数の画像データ（静止画データ）がグループ化された１つ乃至複数のアルバムデータが想定される。また、この電子データに関連する特定情報は、上記アルバムデータの内容を確認・検索可能にするために記録された日付、タイトル、キーワード等の画像情報やアルバムインフォメーションファイルへのリンクなどを含む各アルバム情報で構成されたＣＤ／ＤＶＤボリュームラベル、このアルバムインフォメーションファイルとして静止画データの内容を確認・検索可能にするために記録された日付、タイトル、キーワード等の画像情報や静止画データを主画像とする画像サムネイルファイルへのリンクであるサムネイル情報や主画像へのパス情報（静止画パス情報）などを含む各静止画情報で構成されたアルバムパス情報、各アルバム情報内の各画像サムネイルファイルが想定される。このように、ＮＦＣタグ３３の特定情報は、ＣＤ／ＤＶＤメディア３０に記録された各電子データを特定する情報及びその各電子データを読み出すパス情報であり、例えばＣＤ／ＤＶＤメディア３０へ電子データを記録する際に図示しないＮＦＣタグライタ（無線ＩＣタグライタ）を介して自動的乃至手動的に予め作成される。
尚、本明細書では、単にＮＦＣタグ３３（無線ＩＣタグ）を貼り付けと表した場合でもＮＦＣタグ３３（無線ＩＣタグ）を埋め込む場合も含むものとする。
【００１９】
リーダ端末１０は、携帯制御部１１と、表示部１２と、操作部１３と、携帯Ｉ／Ｆ１４と、無線ＩＣタグリーダ部としてのＮＦＣタグリーダ１５とを備えた携帯端末であり、本実施例では所定の通信回線を介した通話や情報通信が可能な携帯電話である。
携帯制御部１１は、ＣＰＵ、ＲＡＭ、ＲＯＭ、メモリ制御部、不揮発性ＲＡＭ等を備え、ユーザ操作に応じた各種処理等を行うユニットである。
表示部１２及び操作部１３は、ユーザとリーダ端末１０（携帯制御部１１）との間のユーザインタフェースユニットである。この表示部１２は、各種情報の表示するためのＬＣＤ（液晶ディスプレイ）等を備えたユニットである。また、操作部１３は、ユーザー操作を受け付ける複数の押しボタンスイッチ等を備えたユニットである。ここでのユーザー操作とは、例えば通話操作、通信操作、文字入力操作、所望する画像を選択する動作等の選択操作などである。
携帯Ｉ／Ｆ１４は、Bluetooth、IrDA、TCP/IPを介した有線／無線ＬＡＮ、ＵＳＢを介した通信等の通信手段に対応した少なくとも１つのインターフェース回路等を備え、リーダ端末１０と印刷装置２０との間で所定の通信（情報交換）を行うためのインターフェースであり。
ＮＦＣタグリーダ１５は、ＮＦＣタグ３３のチップ用アンテナと無線通信することによりＩＣチップから情報を読み出す為のリーダ用アンテナ等を備え、リーダ端末１０をＮＦＣタグ３３（ＣＤ／ＤＶＤメディア３０）近傍にかざしたり逆にＮＦＣタグ３３（ＣＤ／ＤＶＤメディア３０）をリーダ端末１０に近づけることで、例えば携帯制御部１１の命令に従って、無線通信によりＮＦＣタグ３３に記録された情報を読み出すことができる。
【００２０】
印刷装置２０は、プリンタ制御部２１と、操作パネル２２と、プリンタＩ／Ｆ２３と、印刷機構部２４と、スキャナ部２５と、ＣＤ／ＤＶＤドライブ２６と、メモリカードドライブ２７とを備え、ホスト装置４０内のプリンタドライバから制御命令を受けて印刷を実行するプリンタである。尚、この印刷装置２０は、ＣＤ／ＤＶＤメディア３０をＣＤ／ＤＶＤドライブ２６に挿入したりメモリカード５０をメモリカードドライブ２７に挿入したりすることでホスト装置４０なしでＣＤ／ＤＶＤドライブ２６により読み取ったＣＤ／ＤＶＤメディア３０内の電子データに基づく画像やメモリカードドライブ２７により読み取ったメモリカード５０内の電子データに基づく画像を直接的に印刷することができる所謂ダイレクトプリンタでもある。また、ホスト装置４０なしでメモリカード５０内の電子データをＣＤ／ＤＶＤメディア３０にバックアップすることも可能である。
【００２１】
プリンタ制御部２１は、ＣＰＵ、ＲＡＭ、ＲＯＭ、メモリ制御部、不揮発性ＲＡＭ等を備え、ホスト装置４０から受信した印刷ジョブデータに応じた内容の印刷物を印刷機構部２４に生成させる処理、印刷装置２０の状態（利用可能な機能や消耗品の残量等）を表すステータス情報をそれを要求した機器に返送する処理等を行うユニットである。
このＣＰＵは、ＲＯＭ等に記憶されたプログラムに従ってプリンタ制御部２１内の各部を統合的に制御する。ＲＡＭは、プリンタＩ／Ｆ２３等が受信した印刷ジョブデータやその印刷ジョブデータに基づきＣＰＵが生成したデータなどの一時記憶に用いられるメモリである。ＲＯＭは、ＣＰＵがＲＡＭにロードして実行する各種のプログラムが圧縮された状態で記憶されている不揮発性メモリである。メモリ制御部は、ＣＰＵの指示に従って、プリンタＩ／Ｆ２３等からＲＡＭにデータを転送する処理や、ＲＡＭから印刷機構部２４内のプリンタエンジンへデータを転送する処理などを行う。不揮発性ＲＡＭは、電源が落とされても保持しておくべき各種の情報の記憶装置として、印刷装置２０（プリンタ制御部２１）に搭載されている書き換え可能な不揮発性メモリ（例えばＥＥＰＲＯＭやＮＶＲＡＭ）である。
【００２２】
操作パネル２２は、ユーザと印刷装置２０（プリンタ制御部２１）との間のユーザインタフェースユニットである。この操作パネル２２は、ユーザー操作を受け付ける複数の押しボタンスイッチ、印刷装置２０の状態に関する各種のメッセージを表示するためのＬＣＤ（液晶ディスプレイ）等を備えたユニットである。ここでのユーザー操作とは、例えば印刷レイアウトの指示操作、印刷対象の画像データの選択操作、メモリカード５０内の電子データのバックアップ要求操作である。
プリンタＩ／Ｆ２３は、Bluetooth、IrDA、有線／無線ＬＡＮ、ＵＳＢ等の各種通信手段に対応した少なくとも１つのインターフェース回路等を備え、ホスト装置４０及びリーダ端末１０と印刷装置２０との間で所定の通信（情報交換）を行うためのインターフェースである。
印刷機構部２４は、紙送り装置、プリンタエンジン等を備え、給紙された用紙上への印刷やＣＤ／ＤＶＤメディア３０のレーベル印刷を実際に行う機構である。
スキャナ部２５は、通常のスキャナ機能に加え、印刷機構部２４と協調してコピー機能を有する機構である。
【００２３】
ＣＤ／ＤＶＤドライブ２６は、例えばプリンタ制御部２１の命令に従って、ＣＤ／ＤＶＤメディア３０のデータ記録面３１に記録されている電子データを読み出したり、削除したり、書き換えたり、データ記録面３１に新たに電子データを書き込むことができる。
メモリカードドライブ２７は、メモリカード５０内の電子データを取り込むことができる。また、メモリカードドライブ２７は、例えばプリンタ制御部２１の命令に従って、メモリカード５０に記録されている電子データを削除したり、書き換えたり、メモリカード５０に新たに電子データを書き込むことができる。
【００２４】
ホスト装置４０は、例えば印刷装置２０が接続された一般的な構成のコンピュータ（ＯＳ、Ｗｅｂブラウザ等がインストールされたコンピュータ）に、印刷装置２０用に開発された印刷装置制御用プログラム及びユーティリティプログラムをインストールしたパーソナルコンピュータ等である。印刷装置制御用プログラムは、アプリケーションプログラム（及びＯＳ）から渡された印刷対象ドキュメントに関するデータに基づき、印刷装置２０に供給する印刷ジョブデータを生成するプログラム（いわゆるプリンタドライバ）となっている。一方、ユーティリティプログラムは、ホスト装置４０のユーザに、印刷装置２０内に記憶されているリザーブジョブデータ（主として、自身が記憶させたもの）を簡単に利用できる環境を提供するためのプログラムである。
【００２５】
上述のように構成された情報処理システム１００において、特に、リーダ端末１０（携帯制御部１１）は、ＣＤ／ＤＶＤメディア３０に備えられたＮＦＣタグ３３からそのＮＦＣタグ３３に記録された上記特定情報をＮＦＣタグリーダ１５を用いて読み取る第１読取手段と、この第１読取手段により読み取られた特定情報を表示部１２上に表示する表示手段と、この表示手段により表示部１２上に表示された特定情報の中からユーザが所望する電子データに関連する所定の特定情報の選択を操作部１３におけるユーザ操作を介して受け付ける受付手段と、この所定の特定情報を携帯Ｉ／Ｆ１４を介して印刷装置２０へ送信する送信手段とを機能的に備えている。
【００２６】
また、印刷装置２０（プリンタ制御部２１）は、ＣＤ／ＤＶＤメディア３０からＣＤ／ＤＶＤメディア３０のデータ記録面３１に記録されている電子データをＣＤ／ＤＶＤドライブ２６を用いて読み取る第２読取手段と、リーダ端末１０から送られてきた上記所定の特定情報をプリンタＩ／Ｆ２３を介して受信する受信手段と、上記所定の特定情報に基づきこの第２読取手段を用いて（すなわちＣＤ／ＤＶＤドライブ２６を用いた読取りにより）ＣＤ／ＤＶＤメディア３０の電子データの中からユーザが所望する電子データを取得する情報取得手段と、ユーザが所望する電子データに基づく画像を印刷機構部２４を用いて印刷する印刷手段とを機能的に備えている。
【００２７】
具体的には、携帯制御部１１は、リーダ端末１０がＣＤ／ＤＶＤメディア３０のＮＦＣタグ３３近傍にかざされると、そのＮＦＣタグ３３に記録された図３に示したような特定情報を読み取る。そして、その特定情報に基づいて日付、タイトル、キーワード等と共にアルバム一覧を表示部１２上に表示する。このアルバム一覧の中からユーザが画像の印刷を所望するアルバムが選択されると、そのアルバムの電子データが記録されているリンク先のパス情報であるアルバムパス情報をＣＤ／ＤＶＤボリュームラベルと共にBluetooth、IrDA等の通信手段により印刷装置２０へ送信する。或いは、アルバムが選択されると、そのアルバム内のサムネイルの一覧を表示部１２上に表示する。このサムネイル一覧の中からユーザが印刷を所望するサムネイルが選択されると、そのサムネイルの基になる主画像の電子データが記録されているリンク先のパス情報である静止画パス情報をＣＤ／ＤＶＤボリュームラベルと共にBluetooth、IrDA等の通信手段により印刷装置２０へ送信する。アルバムの選択受付或いはサムネイルの選択受付が完了した後には、上述した印刷装置２０へのパス情報の送信と共に、ＮＦＣタグ３３内の特定情報の読取り対象であったＣＤ／ＤＶＤメディア３０をＣＤ／ＤＶＤドライブ２６によるデータ記録面３１に記録されている電子データの読取りが可能な状態とする旨の指示、すなわちＣＤ／ＤＶＤメディア３０をＣＤ／ＤＶＤドライブ２６に挿入するよう促すメッセージを表示部１２上に表示する。
【００２８】
また、プリンタ制御部２１は、アルバムパス情報或いは静止画パス情報をＣＤ／ＤＶＤボリュームラベルと共にBluetooth、IrDA等の通信手段を介してリーダ端末１０から受信すると、そのパス情報のＣＤ／ＤＶＤメディア３０上のリンク先から所望する電子データすなわちアルバムの電子データ或いは本画像（静止画）の電子データを読み出す。そして、プリンタ制御部２１は、読み出した電子データに基づく画像を印刷するためのユーザ操作を受け付ける画面を操作パネル２２のＬＣＤ上に表示する。この画面においてユーザにより用紙や画質等が選択され印刷開始操作がなされると、プリンタ制御部２１は電子データに基づく画像を印刷する。尚、パス情報の受信の際、リーダ端末１０から受信したＣＤ／ＤＶＤボリュームラベルが書き込まれたＣＤ／ＤＶＤメディア３０がＣＤ／ＤＶＤドライブ２６に挿入されていない場合には、ＣＤ／ＤＶＤメディア３０をＣＤ／ＤＶＤドライブ２６に挿入するよう促すメッセージを操作パネル２２のＬＣＤ上に表示する。
【００２９】
（２）所望する画像の検索・印刷時における情報処理システムの動作
図４はリーダ端末１０の携帯制御部１１が実行する所望する画像の検索・選択時の制御作動を示すフローチャートであり、図５は印刷装置２０のプリンタ制御部２１が実行する所望する画像の印刷時の制御作動を示すフローチャートである。
図４において、ステップＳ１００（以下、ステップの記載は省略する）にて例えばユーザにより内容を確認したいＣＤ／ＤＶＤメディア３０のＮＦＣタグ３３にリーダ端末１０が近づけられて、ＮＦＣタグ３３に記録された図３に示したような特定情報が読み取られると、続くＳ１１０において例えば図６（ａ）に示すようなアルバム一覧及び通常画面に戻る為のキャンセルボタンが表示部１２上に表示されて、ユーザ操作によるアルバム選択が受け付けられる。次いで、Ｓ１２０において、例えばユーザ操作によるアルバム選択が行われたか否かが判断される。キャンセルボタンが選択されてＳ１２０の判断が否定される場合は本ルーチンが終了させられるが何れかのアルバムが選択されてＳ１２０の判断が肯定される場合はＳ１３０において、例えば図６（ｂ）に示すような選択したアルバムの情報をプリンタに送信する為の送信ボタン及び選択されたアルバム内の各画像を表示する為の画像表示ボタンが表示部１２上に表示されてユーザ操作によるアルバム情報の送信が受け付けられ、ユーザ操作によるアルバム情報の送信が選択されたか否かが判断される。送信ボタンが選択されてＳ１３０の判断が肯定される場合はＳ１４０において、ＮＦＣタグ３３から読み取られた特定情報内のアルバムパス情報がＣＤ／ＤＶＤボリュームラベルと共にBluetooth、IrDA等の通信手段により印刷装置２０へ送信される。
【００３０】
一方で、画像表示ボタンが選択されてＳ１３０の判断が否定される場合はＳ１５０において、例えば図６（ｃ）に示すような選択されたアルバム内のサムネイル一覧及びアルバム一覧画面に戻る為の戻るボタンが表示部１２上に表示されて、ユーザ操作によるサムネイル選択が受け付けられる。次いで、Ｓ１６０において、例えばユーザ操作によるサムネイル選択が行われたか否かが判断される。このＳ１６０においては複数のサムネイル選択が可能なように構成しても良い。戻るボタンが選択されてＳ１６０の判断が否定される場合はＳ１１０に戻るが何れか或いは複数のサムネイルが選択されてＳ１６０の判断が肯定される場合はＳ１７０において、例えば図６（ｄ）に示すような選択したサムネイルの情報をプリンタに送信する為の送信ボタン及びサムネイル一覧画面に戻る為の戻るボタンが表示部１２上に表示されてユーザ操作によるサムネイル（静止画）情報の送信が受け付けられ、ユーザ操作によるサムネイル情報の送信が選択されたか否かが判断される。戻るボタンが選択されてＳ１７０の判断が否定される場合はＳ１５０に戻るが送信ボタンが選択されてＳ１７０の判断が肯定される場合はＳ１８０において、ＮＦＣタグ３３から読み取られた特定情報内の静止画パス情報がＣＤ／ＤＶＤボリュームラベルと共にBluetooth、IrDA等の通信手段により印刷装置２０へ送信される。Ｓ１４０或いはＳ１８０に続いてＳ１９０において、ＮＦＣタグ３３内の特定情報の読取り対象であったＣＤ／ＤＶＤメディア３０をＣＤ／ＤＶＤドライブ２６に挿入するよう促す例えば図６（ｅ）に示すようなメッセージが表示部１２上に表示される。このメッセージの表示に加えて、或いはメッセージの表示に替えて、音声によりＣＤ／ＤＶＤメディア３０をＣＤ／ＤＶＤドライブ２６に挿入するよう促しても良い。
【００３１】
図５において、Ｓ２００にて例えばアルバムパス情報或いは静止画パス情報がＣＤ／ＤＶＤボリュームラベルと共にBluetooth、IrDA等の通信手段を介してリーダ端末１０から受信されると、続くＳ２１０において受信したＣＤ／ＤＶＤボリュームラベルが書き込まれたＣＤ／ＤＶＤメディア３０すなわちＮＦＣタグ３３内の特定情報の読取り対象であったＣＤ／ＤＶＤメディア３０がＣＤ／ＤＶＤドライブ２６に挿入されているか否かが判断される。例えば、ＣＤ／ＤＶＤドライブ２６に挿入されたＣＤ／ＤＶＤメディア３０のＣＤ／ＤＶＤボリュームラベルが受信したＣＤ／ＤＶＤボリュームラベルと一致しているか否かが判断される。
【００３２】
受信したＣＤ／ＤＶＤボリュームラベルが書き込まれたＣＤ／ＤＶＤメディア３０がＣＤ／ＤＶＤドライブ２６に挿入されておらずＳ２１０の判断が否定される場合はＳ２２０において、ＮＦＣタグ３３内の特定情報の読取り対象であったＣＤ／ＤＶＤメディア３０をＣＤ／ＤＶＤドライブ２６に挿入するよう促す例えば図７（ａ）に示すようなメッセージが操作パネル２２のＬＣＤ上に表示される。ここでもリーダ端末１０と同様に、音声により促しても良い。このＳ２２０はＳ２１０の判断が肯定されるまで繰り返し実行されるが、例えば所定時間経過後に通常画面に戻しても良いし、通常画面に戻る為のキャンセルボタンをメッセージと共に操作パネル２２のＬＣＤ上に表示し、そのキャンセルボタンが選択されたときに本ルーチンを終了するようにしても良い。また、受信したＣＤ／ＤＶＤボリュームラベルが書き込まれたＣＤ／ＤＶＤメディア３０がＣＤ／ＤＶＤドライブ２６に挿入されていないということには、いずれのＣＤ／ＤＶＤメディアもＣＤ／ＤＶＤドライブ２６に挿入されていないことも含んでいることは言うまでもないことである。
【００３３】
一方で、ＣＤ／ＤＶＤドライブ２６に挿入されたＣＤ／ＤＶＤメディア３０のＣＤ／ＤＶＤボリュームラベルが受信したＣＤ／ＤＶＤボリュームラベルと一致してＳ２１０の判断が肯定される場合はＳ２３０において、受信したアルバムパス情報或いは静止画パス情報のＣＤ／ＤＶＤメディア３０上のリンク先からアルバムの電子データ或いは本画像（静止画）の電子データが読み出される。次いで、Ｓ２４０において、ダイレクト印刷メニューに遷移させられる。例えば、図７（ｂ）に示すような読み出した電子データに基づく画像を印刷するためのユーザ操作を受け付ける印刷受付画面が操作パネル２２のＬＣＤ上に表示されて、ユーザ操作による所望の画像の印刷が受け付けられる。次いで、Ｓ２５０において、この印刷受付画面にてユーザにより用紙や画質等が選択され印刷開始操作がなされたか否かが判断される。通常画面に戻る為のキャンセルボタンが選択されてＳ２５０の判断が否定される場合は本ルーチンが終了させられるが印刷を実行する為の印刷ボタンが選択されてＳ２５０の判断が肯定される場合はＳ２６０において、読み出したアルバムの電子データ或いは本画像（静止画）の電子データに基づく画像が印刷される。
【００３４】
（３）変形例
図８は、本発明の一実施形態に係る情報処理システム２００の外観図であり、情報処理システム１００の別の実施例である。以下、実施例全体を通して同一のものには同一の符号を付してその説明を省略する。図８において、情報処理システム２００は、リーダ端末１０と情報処理部としての例えば画像表示装置６０とからなり、ＣＤ／ＤＶＤメディア３０に記録された電子データを処理可能なシステムである。画像表示装置６０は、印刷装置２０と異なり、印刷やスキャナに関連する機構や機能は有していないものの、制御部やＣＤ／ＤＶＤドライブ２６やメモリカードドライブ２７等を備え、ＣＤ／ＤＶＤドライブ２６により読み取ったＣＤ／ＤＶＤメディア３０内の電子データに基づく画像やメモリカードドライブ２７により読み取ったメモリカード５０内の電子データに基づく画像を直接的に画像表示装置６０の表示画面６１上に表示することができる所謂フォトフレームである。特に、画像表示装置６０は、ユーザが所望する電子データに基づく画像を表示する画像表示手段を機能的に備えている。具体的には、画像表示装置６０の制御部は、アルバムパス情報或いは静止画パス情報をＣＤ／ＤＶＤボリュームラベルと共にBluetooth、IrDA等の通信手段を介してリーダ端末１０から受信すると、そのパス情報のＣＤ／ＤＶＤメディア３０上のリンク先から所望する電子データすなわちアルバムの電子データ或いは本画像（静止画）の電子データを読み出す。そして、画像表示装置６０の制御部は、読み出した電子データに基づく画像を画像表示装置６０の表示画面６１上に表示する。
【００３５】
（４）まとめ
上記のように構成された情報処理システム１００において、ユーザは、ＣＤ／ＤＶＤドライブ２６を用いてＣＤ／ＤＶＤメディア３０から電子データを読み取ることに比較して速やかにＣＤ／ＤＶＤメディア３０の中身を確認し、所望する電子データを検索・選択することができる。そして、ユーザは、ＣＤ／ＤＶＤメディア３０に記録された電子データの中から所望する電子データを容易に取得することができる。
また、リーダ端末１０と印刷装置２０（或いは画像表示装置６０）とは各々異なる装置であり、リーダ端末１０と印刷装置２０（或いは画像表示装置６０）との間で所定の通信手段を備えるので、例えばリーダ端末１０のみを小型な携帯端末で構成することができ、ＣＤ／ＤＶＤメディア３０の中身を確認する際の自由度が拡がる。
また、情報処理システム１００が印刷装置２０を備える場合には、ユーザはＣＤ／ＤＶＤメディア３０に記録された電子データの中から所望する画像を容易に印刷することができる。
また、情報処理システム１００が画像表示装置６０を備える場合には、ユーザはＣＤ／ＤＶＤメディア３０に記録された電子データの中から所望する画像を容易に表示することができる。
また、情報処理システム１００は、アルバムの選択受付或いはサムネイルの選択受付が完了した後には、ＣＤ／ＤＶＤメディア３０をＣＤ／ＤＶＤドライブ２６に挿入するよう促すメッセージを表示するので、所望する電子データを取得するためのＣＤ／ＤＶＤメディア３０がユーザにより電子データの読取りが可能な状態とされ易い。
また、ＮＦＣタグ３３内の特定情報は、ＣＤ／ＤＶＤメディア３０に記録された各電子データを特定する情報及び各電子データを読み出すパス情報であり、ＣＤ／ＤＶＤメディア３０へ電子データを記録する際に予め作成されるので、ＣＤ／ＤＶＤメディア３０をＣＤ／ＤＶＤドライブ２６による電子データの読取りが可能な状態とすることにより所望する電子データが簡単に取得される。
【００３６】
以上、本発明の実施例を図面に基づいて詳細に説明したが、本発明はその他の態様においても適用される。
例えば、前述の実施例では、外部記憶媒体としてＣＤ／ＤＶＤメディア３０を用いたが、ＮＦＣタグ３３の貼り付けが可能且つ携帯性に優れた大容量のストレージメディアであれば本発明は適用され得る。例えば、メモリカード５０等のＩＣメモリやＵＳＢメモリなどの外部記憶媒体であっても良い。
また、前述の実施例では、特定情報読取部として携帯電話であるリーダ端末１０を例示したが、特定情報読取部は少なくとも携帯制御部と表示部と操作部と携帯Ｉ／Ｆと無線ＩＣタグリーダ部とを備えたリーダ端末であれば良い。例えば、専用の無線ＩＣタグリーダ端末であっても良いし、印刷装置２０（或いは画像表示装置６０）が操作用のリモコン装置を備える場合にはそのリモコン装置に無線ＩＣタグリーダ端末の機能が組み込まれても良い。
また、前述の実施例では、情報処理部として印刷装置２０や画像表示装置６０を例示したが、外部記憶媒体の電子データを直接的に読み出してその電子データに何らかの処理を施す装置であれば本発明は適用され得る。
また、前述の実施例では、特定情報読取部と情報処理部とは各々異なる装置であったが、特定情報読取部と情報処理部とを備えた一体の装置であっても良い。例えば、少なくとも無線ＩＣタグリーダ部を更に備えて無線ＩＣタグリーダ端末の機能が組み込まれた印刷装置２０（或いは画像表示装置６０）であっても良い。尚、このように一体の装置である場合には、特定情報読取部と情報処理部との間で所定の通信を行う必要がないので、その所定の通信を行う為の携帯Ｉ／ＦやプリンタＩ／Ｆを必ずしも備える必要はない。
また、本発明にかかる技術的思想は、上述した情報処理システム１００以外の発明としても捉えることができる。一例として、上述した情報処理システム１００における各手段に対応する工程を有する情報処理システム１００の制御方法としても発明を把握することができる。また、上述した情報処理システム１００における各手段に対応する機能をプリンタ制御部２１や携帯制御部１１に実現させる情報処理システム１００の制御プログラムとしても発明を把握することができる。
なお、上述したのはあくまでも一実施形態であり、本発明は当業者の知識に基づいて種々の変更、改良を加えた態様で実施することができる。
【図面の簡単な説明】
【００３７】
【図１】本発明の情報処理システムを例示する外観図である。
【図２】情報処理システムの概略構成を例示するブロック構成図である。
【図３】ＮＦＣタグ内に記録されるデータ構成（特定情報）を例示する図である。
【図４】携帯制御部が実行する画像の検索・選択時のフローチャートである。
【図５】プリンタ制御部が実行する画像の印刷時のフローチャートである。
【図６】リーダ端末における画像検索・選択時の表示部画面を例示する図である。
【図７】印刷装置における画像印刷時の操作パネル画面を例示する図である。
【図８】本発明の情報処理システムを例示する別の外観図である。
【符号の説明】
【００３８】
１０：リーダ端末（特定情報読取部）、１１：携帯制御部（第１読取手段、第１読取工程、第１読取機能、表示手段、表示工程、表示機能、受付手段、受付工程、受付機能、送信手段、コンピュータ）、２０：印刷装置（情報処理部）、２１：プリンタ制御部（第２読取手段、第２読取工程、第２読取機能、情報取得手段、情報取得工程、情報取得機能、受信手段、印刷手段、コンピュータ）、３０：ＣＤ／ＤＶＤメディア（外部記憶媒体）、３３：ＮＦＣタグ（無線ＩＣタグ）、６０：画像表示装置（情報処理部、画像表示手段）、１００，２００：情報処理システム 
【図１】
2009211475.tif 000003
【図２】
2009211475.tif 000004
【図３】
2009211475.tif 000005
【図４】
2009211475.tif 000006
【図５】
2009211475.tif 000007
【図６】
2009211475.tif 000008
【図７】
2009211475.tif 000009
【図８】
2009211475.tif 000010